(57)【特許請求の範囲】
【請求項１】
保全作業が実施された保全対象の動画、静止画、及び音声データの少なくとも一つである保全記録と、プラントに設置されたフィールド機器のプロセスデータとを取得する保全記録取得部と、
取得された前記保全記録及び前記プロセスデータを、前記保全対象を特定するための情報であって、日時、作業者名、保全の計画時に定められた前記保全作業の識別情報のうち少なくとも一つを含む特定情報と対応して保存する保全記録保存部と、
前記特定情報と対応して保存された前記保全記録及び前記プロセスデータに基づき、前記フィールド機器の前記プロセスデータと、前記保全対象の前記動画、前記静止画、及び前記音声データから変換されたテキストデータの少なくとも一つとを併せて表示するための保全情報を生成する保全情報生成部と、
生成された前記保全情報を保存する保全情報保存部と、
前記特定情報に基づき、保存された前記保全情報を検索する検索部と、
検索された前記保全情報を提供する保全情報提供部と
を備える、保全情報共有装置。
【請求項２】
通信回線を介して他の装置と通信可能に接続する通信部と、
接続された前記他の装置から前記特定情報を取得する特定情報取得部とをさらに備え、
前記検索部は、取得された前記特定情報に基づき、保存された前記保全情報を検索し、
前記保全情報提供部は、検索された前記保全情報を前記他の装置に提供する、請求項１に記載の保全情報共有装置。
【請求項３】
前記保全記録取得部は、接続された前記他の装置から前記保全記録を取得する、請求項２に記載の保全情報共有装置。
【請求項４】
前記保全情報生成部は、保存された、動画の前記保全記録、静止画の前記保全記録、音声を文字に変換した前記保全記録、又は文字通信のログによる前記保全記録の中の１以上の前記保全記録を含む前記保全情報を生成する、請求項１から３のいずれか一項に記載の保全情報共有装置。
【請求項５】
保全作業が実施された保全対象の動画、静止画、及び音声データの少なくとも一つである保全記録と、プラントに設置されたフィールド機器のプロセスデータとを取得する保全記録取得ステップと、
取得された前記保全記録及び前記プロセスデータを、前記保全対象を特定するための情報であって、日時、作業者名、保全の計画時に定められた前記保全作業の識別情報のうち少なくとも一つを含む特定情報と対応して保存する保全記録保存ステップと、
前記特定情報と対応して保存された前記保全記録及び前記プロセスデータに基づき、前記フィールド機器の前記プロセスデータと、前記保全対象の前記動画、前記静止画、及び前記音声データから変換されたテキストデータの少なくとも一つとを併せて表示するための保全情報を生成する保全情報生成ステップと、
生成された前記保全情報を保存する保全情報保存ステップと、
前記特定情報に基づき、保存された前記保全情報を検索する検索ステップと、
検索された前記保全情報を提供する保全情報提供ステップとを含む、保全情報共有方法。
【請求項６】
保全作業が実施された保全対象の動画、静止画、及び音声データの少なくとも一つである保全記録と、プラントに設置されたフィールド機器のプロセスデータとを取得する保全記録取得処理と、
取得された前記保全記録及び前記プロセスデータを、前記保全対象を特定するための情報であって、日時、作業者名、保全の計画時に定められた前記保全作業の識別情報のうち少なくとも一つを含む特定情報と対応して保存する保全記録保存処理と、
前記特定情報と対応して保存された前記保全記録及び前記プロセスデータに基づき、前記フィールド機器の前記プロセスデータと、前記保全対象の前記動画、前記静止画、及び前記音声データから変換されたテキストデータの少なくとも一つとを併せて表示するための保全情報を生成する保全情報生成処理と、
生成された前記保全情報を保存する保全情報保存処理と、
前記特定情報に基づき、保存された前記保全情報を検索する検索処理と、
検索された前記保全情報を提供する保全情報提供処理とをコンピュータに実行させるための、保全情報共有プログラム。
【請求項７】
保全作業が実施された保全対象の動画、静止画、及び音声データの少なくとも一つである保全記録と、プラントに設置されたフィールド機器のプロセスデータとを取得する保全記録取得処理と、
取得された前記保全記録及び前記プロセスデータを、前記保全対象を特定するための情報であって、日時、作業者名、保全の計画時に定められた前記保全作業の識別情報のうち少なくとも一つを含む特定情報と対応して保存する保全記録保存処理と、
前記特定情報と対応して保存された前記保全記録及び前記プロセスデータに基づき、前記フィールド機器の前記プロセスデータと、前記保全対象の前記動画、前記静止画、及び前記音声データから変換されたテキストデータの少なくとも一つとを併せて表示するための保全情報を生成する保全情報生成処理と、
生成された前記保全情報を保存する保全情報保存処理と、
前記特定情報に基づき、保存された前記保全情報を検索する検索処理と、
検索された前記保全情報を提供する保全情報提供処理とをコンピュータに実行させるための保全情報共有プログラムを記録した記録媒体。
【発明の詳細な説明】
【技術分野】
【０００１】
本発明は、保全情報共有装置、保全情報共有方法、保全情報共有プログラム及び記録媒体に関する。
【背景技術】
【０００２】
従来から、化学等の工業プラント、ガス田や油田等の井戸元やその周辺を管理制御するプラント、水力・火力・原子力等の発電を管理制御するプラント、太陽光や風力等の環境発電を管理制御するプラント、上下水やダム等を管理制御するプラント等のプラントや工場等（以下、これらを総称する場合には「プラント」という）においては、様々な保全作業が実施され、保全作業の中には高度な保全技術や能力（「保全技能」という。）が要求されるものがある。保全作業においては、マニュアル等に記載することが難しい保全技能が要求される場合があり、熟練度が低い作業者は、高度な保全技能を有する者（「高度技能者」という。）から指導され、指導の下に保全作業を実施する。しかし、高度技能者がいない地理的に離れたプラント等においては、作業者は、離れた場所にいる高度技能者からビデオ通話システム又は電話等を用いて保全作業の指導を受けて保全作業を実施する場合がある。ビデオ通話システムを用いた保全作業の指導においては、例えば、作業者が撮影した保全対象の機器の映像を遠隔地にいる高度技能者が確認し、作業者に対して適切な作業指示を与える。
【０００３】
ビデオ通話システム等による保全作業の指導の様子は、例えば映像を記録した動画ファイルとして記録しておくことができる。後日類似した保全作業を実施する作業者は、動画ファイルを再生して閲覧することにより、映像に記録された保全作業についての保全技能を取得することが可能となる。動画ファイルには記録日時等の情報が付加される。また、動画ファイルのファイル名には、保全作業の内容を入れることができる。後日類似した保全作業を実施する作業者は、動画ファイルに付加された記録日時やファイル名の情報を基に、実行する保全作業に応じた動画ファイルを検索することができる。
【０００４】
また、ビデオ通話システムにおいてＡＲ（Ａｕｇｍｅｎｔｅｄ  Ｒｅａｌｉｔｙ：拡張現実）の技術を利用した映像を遠隔地にある端末同士で共有する技術がある（例えば、特許文献１を参照）。
【先行技術文献】
【特許文献】
【０００５】
【特許文献１】米国特許第８４００５４８号明細書
【発明の概要】
【発明が解決しようとする課題】
【０００６】
しかし、映像に記録できる保全技能は、保全作業に必要な技能の一部であるため、保全作業を記録した映像を閲覧するのみでは、共有できない保全技能がある。例えば、保全作業には、作業日誌又は修理記録等の文字情報を確認して行う作業がある。また、保全作業には、センサ、測定器、制御装置又は現場機器等のデータを確認して行う作業がある。これら文字情報やデータを確認する作業においてはビデオ通話システムの記録に含まれる映像のみでは表現できない保全技能が含まれるため、保全作業を記録した映像を閲覧するのみでは保全技能を含む保全情報を共有できない場合があった。
【０００７】
また、プラントにおいては保全対象の機器が数多く存在し、さらにそれぞれの機器対して複数の保全項目による保全作業を行うため、実行する保全作業に対応した画像ファイルを記録日時やファイル名の情報を基に検索するのに手間が掛り、さらに動画ファイルの中から再生すべき記録箇所を見つけるのにも手間が掛かるため、保全情報を共有するのが困難となる場合があった。
【０００８】
本発明は上記事情に鑑みてなされたものであり、保全情報の共有を図ることができる、保全情報共有装置、保全情報共有方法、保全情報共有プログラム及び記録媒体を提供することを目的とする。
【課題を解決するための手段】
【０００９】
上記の課題を解決するため、本発明の保全情報共有装置は、保全対象の保全記録を取得する保全記録取得部と、取得された前記保全記録を前記保全対象を特定するための特定情報と対応して保存する保全記録保存部と、前記特定情報と対応して保存された前記保全記録に基づき、保全情報を生成する保全情報生成部と、生成された前記保全情報を保存する保全情報保存部と、前記特定情報に基づき、保存された前記保全情報を検索する検索部と、検索された前記保全情報を提供する保全情報提供部とを備える。
【００１０】
また、本発明の保全情報共有装置において、通信回線を介して他の装置と通信可能に接続する通信部と、接続された前記他の装置から前記特定情報を取得する特定情報取得部とをさらに備え、前記検索部は、取得された前記特定情報に基づき、保存された前記保全情報を検索し、前記保全情報提供部は、検索された前記保全情報を前記他の装置に提供する。
【００１１】
また、本発明の保全情報共有装置において、前記保全記録取得部は、接続された前記他の装置から前記保全記録を取得する。
【００１２】
また、本発明の保全情報共有装置において、前記保全情報生成部は、保存された、動画の前記保全記録、静止画の前記保全記録、音声を文字に変換した前記保全記録、又は文字通信のログによる前記保全記録の中の１以上の前記保全記録を含む前記保全情報を生成する。
【００１３】
上記の課題を解決するため、本発明の保全情報共有方法は、保全対象の保全記録を取得する保全記録取得ステップと、取得された前記保全記録を前記保全対象を特定するための特定情報と対応して保存する保全記録保存ステップと、前記特定情報と対応して保存された前記保全記録に基づき、保全情報を生成する保全情報生成ステップと、生成された前記保全情報を保存する保全情報保存ステップと、前記特定情報に基づき、保存された前記保全情報を検索する検索ステップと、検索された前記保全情報を提供する保全情報提供ステップとを含む。
【００１４】
上記の課題を解決するため、本発明の保全情報共有プログラムは、保全対象の保全記録を取得する保全記録取得処理と、取得された前記保全記録を前記保全対象を特定するための特定情報と対応して保存する保全記録保存処理と、前記特定情報と対応して保存された前記保全記録に基づき、保全情報を生成する保全情報生成処理と、生成された前記保全情報を保存する保全情報保存処理と、前記特定情報に基づき、保存された前記保全情報を検索する検索処理と、検索された前記保全情報を提供する保全情報提供処理とをコンピュータに実行させる。
【００１５】
上記の課題を解決するため、本発明の記録媒体は、保全対象の保全記録を取得する保全記録取得処理と、取得された前記保全記録を前記保全対象を特定するための特定情報と対応して保存する保全記録保存処理と、前記特定情報と対応して保存された前記保全記録に基づき、保全情報を生成する保全情報生成処理と、生成された前記保全情報を保存する保全情報保存処理と、前記特定情報に基づき、保存された前記保全情報を検索する検索処理と、検索された前記保全情報を提供する保全情報提供処理とをコンピュータに実行させるための保全情報共有プログラムを記録している。
【発明の効果】
【００１６】
本発明によれば、保全情報の共有を図ることができる、保全情報共有装置、保全情報共有方法、保全情報共有プログラム及び記録媒体を提供することができる。
【図面の簡単な説明】
【００１７】
【図１】実施形態における保全情報共有システムの動作の一例を示す構成図である。
【図２】実施形態における保全情報共有システムの構成の一例を示す構成図である。
【図３】実施形態における保全情報共有システムの構成の他の一例を示す構成図である。
【図４】実施形態におけるメディアストレージサーバのハードウェア構成の一例を示す構成図である。
【図５】実施形態における端末装置のハードウェア構成の一例を示す構成図である。
【図６】実施形態におけるメディアストレージサーバの機能構成の一例を示す構成図である。
【図７】実施形態における端末装置の機能構成の一例を示す構成図である。
【図８】実施形態におけるＩＭＭの作業計画・履歴テーブルの一例を示す図である。
【図９】実施形態におけるＩＭＭのコンテンツテーブルの一例を示す図である。
【図１０】実施形態における端末装置による保全情報の記録動作の一例を示すフローチャートである。
【図１１】実施形態における端末装置による保全情報の利用動作の一例を示すフローチャートである。
【図１２】実施形態におけるＩＭＭの構成の他の一例を示す構成図である。
【図１３】実施形態における端末装置に表示される保全情報の一覧画面の一例を示す図である。
【図１４】実施形態における端末装置に表示される保全情報の記録画面の一例を示す図である。
【図１５】実施形態における端末装置に表示される保全情報の検索画面の一例を示す図である。
【図１６】実施形態における端末装置に表示される保全情報の再生画面の一例を示す図である。
【発明を実施するための形態】
【００１８】
以下、図面を参照して本発明の一実施形態における保全情報共有装置、保全情報共有方法、保全情報共有プログラム及び記録媒体について詳細に説明する。
【００１９】
先ず、図１を用いて、保全情報共有システムの動作の概要を説明する。図１は、実施形態における保全情報共有システムの動作の一例を示す構成図である。
【００２０】
図１において、保全情報共有システム１は、保全情報を蓄積し、蓄積した保全情報を検索して引出すためのシステムである。保全情報とは、作業者による保全作業を支援するための情報であり、テキスト、音声、画像（静止画又は動画）等のコンテンツ形式において蓄積される情報である。本実施形態においては保全情報をメディアストレージサーバ１０に蓄積する場合を説明する。メディアストレージサーバ１０は、端末装置に対して保全情報を蓄積する機能と、蓄積した保全情報を検索する機能と、検索した保全情報を引出す機能とを提供する。図１においては端末装置として、ＰＣ２１、モバイル端末２２ａ、及びモバイル端末２２ｂを例示している。ＰＣ２１は、例えばデスクトップ型のＰＣである。モバイル端末２２ａ、及びモバイル端末２２ｂは、保全作業を実施する作業者である現場オペレータによってプラント内で可搬され操作される、例えば、ノート型ＰＣ、タブレット型ＰＣ、ＰＤＡ、又はスマートフォン等の汎用装置、又は機器保全専用の装置である。モバイル端末２２ａ、及びモバイル端末２２ｂは、例えば、フィールド機器の保全を行うための機器保全プログラムを含み、機器保全プログラムが実行されることによってフィールド機器の保全作業を支援するものであってもよい。
【００２１】
［保全情報（保全記録）の蓄積］
図１において、現場オペレータＡは、所持するモバイル端末２２ａ等の情報機器から保全情報をメディアストレージサーバ１０に蓄積する。保全情報の蓄積は、例えば、先ず、現場オペレータＡがモバイル端末２２ａからメディアストレージサーバ１０にアクセスし、メディアストレージサーバ１０が提供する保全情報蓄積用の表示画面をモバイル端末２２ａに表示する。現場オペレータＡは、表示された表示画面から、保全情報を入力してメディアストレージサーバ１０に送信する。送信された保全情報はメディアストレージサーバ１０に蓄積される。なお、ここで説明した保全情報は、図６において後述する保全記録と同じ意味である。図６においては、保全情報は保全記録に基づき生成されるものとして説明している。
【００２２】
メディアストレージサーバ１０に送信する保全情報には、モバイル端末２２ａのカメラで撮影された動画、静止画、モバイル端末２２ａにおける通話を録音した音声データ、モバイル端末２２ａにおいて行われた文字チャットのログ等の文字通信のログ、フィールド機器から取得したプロセスデータ等を含めることができる。例えば、現場オペレータＡは、所定の保全作業を実施するときに、フィールド機器からデータを取得し、モバイル端末２２ａに記録する。また、現場オペレータＡは、モバイル端末２２ａから図示しない高度技能者に電話を掛けて、通話による保全作業の指示を受けるとともに、通話の音声を記録してもよい。また、現場オペレータＡは、モバイル端末２２ａにインストールされたチャットアプリを用いて高度技能者から文字による保全作業の指示を受けるとともに、チャットログを記録してもよい。現場オペレータＡは、所定の保全作業が終了したときに、記録した、フィールド機器のデータ、通話の音声、チャットログをメディアストレージサーバ１０に送信することができる。メディアストレージサーバ１０に蓄積される保全情報の詳細は、図８等を用いて後述する。
【００２３】
なお、図１においては、保全情報を蓄積するのは、現場オペレータＡのみである場合を示しているが、複数の現場オペレータが保全情報を送信可能なモバイル端末を所持し、保全作業毎に保全情報を蓄積するようにしてもよい。
【００２４】
また、実行される保全作業が予めスケジュールされており、メディアストレージサーバ１０は予めスケジュールされた保全作業に対応して、保全情報を蓄積するようにしてもよい。例えば、実行予定の保全作業に予め作業ＩＤ（Ｉｄｅｎｔｉｆｉｃａｔｉｏｎ：識別符号）を割当てておき、現場オペレータＡは保全情報を割当てられた作業ＩＤに対応付けて送信するようにしてもよい。メディアストレージサーバ１０は送信された保全情報を作業ＩＤと対応付けて蓄積することができる。また、メディアストレージサーバ１０は、作業ＩＤに応じた表示画面をモバイル端末２２ａに提供することにより、送信される保全情報と作業ＩＤとを対応付けて蓄積してもよい。
【００２５】
［保全情報の検索及び引出し］
図１において、現場オペレータＢは、所持するモバイル端末２２ｂ等の情報機器から、メディアストレージサーバ１０に蓄積された保全情報を検索する。保全作業の検索は、例えば、保全対象のプラント名、プロセス名、設備名、機器名、機器又は設備に付けられた設備ＩＤ（機器ＩＤという場合もある）、機器タグ、保全項目（作業項目）等のテキストデータを検索キーとして実行することができる。また、現場オペレータＢは、所持するモバイル端末２２ｂのカメラで撮影した画像データを検索キーとしてメディアストレージサーバ１０に送信してもよい。モバイル端末２２ｂからメディアストレージサーバ１０に送信する検索キーは、複数の検索キーを組み合わせた検索式であってもよい。
【００２６】
なお、本実施形態における保全項目とは、例えば、フィールド機器に設定されているパラメータの確認、フィールド機器に対する、パラメータの設定、所定の試験、所定の調整等の作業項目であり、具体的には、ループテスト、ゼロ点調整、スパン調整、タグ／アドレス／ロール設定、設定制限の設定／解除、バルブのキャリブレーション、機器のスコーク、ＩＳＡ１００プロビジョニング、機器のオンサービス／オフサービス切替、サービスモード切替、バルブのパーシャルストロークテスト等である。
【００２７】
メディアストレージサーバ１０は、送信された検索キーに基づき保全情報を検索する。検索キーがテキストデータである場合、メディアストレージサーバ１０は、テキストデータに対応付けられた保全情報を検索する。また、検索キーが画像データである場合、メディアストレージサーバ１０は、類似画像検索により保全情報を検索する。類似画像検索については図６において後述する。
【００２８】
メディアストレージサーバ１０は、保全情報の検索結果をモバイル端末２２ｂに送信する。メディアストレージサーバ１０は、例えば、選択可能なリストとして検索結果を送信する。選択可能なリストとは、例えば保全情報を特定するためのハイパーリング等が付けられた文字情報である。現場オペレータＢは、検索結果のリストの中から一の文字情報を選択することにより、特定の保全情報のファイルやＷｅｂページを引出して取得することができる。現場オペレータＢは、取得した保全情報をモバイル端末２２ｂにおいて表示又は再生することにより、現場において保全情報を確認しながら保全作業を実行することが可能となる。
【００２９】
プラントマネージャは、ＰＣ端末２１等の情報機器から、メディアストレージサーバ１０に蓄積された保全情報を検索する。保全作業の検索と引出しは、上述したモバイル端末２２ｂからの検索と同様である。プラントマネージャは、引出した保全情報に基づき、現場のオペレータＢ等の作業者に対して適切な指示をすることが可能となる。
【００３０】
なお、図１においては、メディアストレージサーバ１０に対して保全情報を蓄積する端末装置はモバイル端末２２ａの１台、保全情報を検索して引出す端末装置はモバイル端末２２ｂ及びＰＣ２１の２台である場合を示したが、端末装置の台数はこれに限定されるものではない。例えば、現場オペレータＡが所持するモバイル端末２２ａ等から保全情報の検索と引出しを行うようにしてもよく、また、モバイル端末２２ｂ又はＰＣ２１等から保全情報の蓄積を行うようにしてもよい。
以上で、図１を用いた、保全情報共有システムの動作の概要の説明を終了する。
【００３１】
次に、図２及び図３を用いて、保全情報共有システムの構成を説明する。図２は、実施形態における保全情報共有システムの構成の一例を示す構成図である。図３は、実施形態における保全情報共有システムの構成の他の一例を示す構成図である。
【００３２】
図２において、メディアストレージサーバ１０は、ネットワーク３１を介してＰＣ２１及びアクセスポイント３２に接続されている。ネットワーク３１は、例えば、ルータ、スイッチ、ファイアウォール等を含んでいてもよく、メディアストレージサーバ１０は、ルータ等を介してＰＣ２１等と接続されてもよい。
【００３３】
アクセスポイント３２は、無線ＬＡＮのアクセスポイントである。アクセスポイント３２は、所定の範囲内にある複数のモバイル端末２２に対してメディアストレージサーバ１０との通信を可能にする。
【００３４】
図３は、メディアストレージサーバ１０をクラウドコンピューティング（クラウド）で実現する構成を示している。クラウドは、ネットワーク、サーバ、ストレージ、アプリケーション、サービス等のコンピューティングリソースを共用するためのモデルである。メディアストレージサーバ１０をクラウドで実現することにより、例えば、可用性を向上させ、又はシステム構築のコストを削減することができる。ＰＣ２１及びモバイル端末２２は、所定の通信手段でクラウド上のメディアストレージサーバ１０にアクセスする。メディアストレージサーバ１０をクラウドで実現することにより、例えば、遠隔地にあるプラントにおける作業者の端末装置から保全情報を取得することが容易になる。
以上で、図２及び図３を用いた、保全情報共有システムの構成の説明を終了する。
【００３５】
次に、図４を用いて、メディアストレージサーバ１０のハードウェア構成を説明する。図４は、実施形態におけるメディアストレージサーバ１０のハードウェア構成の一例を示す構成図である。
【００３６】
図４において、メディアストレージサーバ１０は、ＣＰＵ（Ｃｅｎｔｒａｌ  Ｐｒｏｃｅｓｓｉｎｇ  Ｕｎｉｔ）１０１、ＲＡＭ（Ｄｙｎａｍｉｃ  Ｒａｎｄｏｍ  Ａｃｃｅｓｓ  Ｍｅｍｏｒｙ）１０２、ＲＯＭ（Ｒｅａｄ  Ｏｎｌｙ  Ｍｅｍｏｒｙ）１０３、ＨＤＤ（Ｈａｒｄ  Ｄｉｓｋ  Ｄｒｉｖｅ）１０４、表示装置１０５、入力装置１０６、及び通信Ｉ／Ｆ（Ｉｎｔｅｒｆａｃｅ）１０７を有する。
【００３７】
ＣＰＵ１０１は、ＲＡＭ１０２、ＲＯＭ１０３又はＨＤＤ１０４に記憶されたプログラムを実行することにより、メディアストレージサーバ１０の制御を行う。ＣＰＵ１０１において実行されるプログラムは、例えば、プログラムを記録した記録媒体、又はネットワークを介したプログラムを提供するサーバ等から取得されて、ＨＤＤ１４にインストールされ、ＲＡＭ１２にＣＰＵ１１から読出し可能に記憶される。表示装置１０５は、例えば液晶ディスプレイである。入力装置１０６は、例えばキーボード、マウス等の操作入力装置、記録媒体の情報を読込む装置、バーコードリーダ等の情報を入力するための装置である。表示装置１０５及び入力装置１０６は、タッチパネルによって実現してもよい。
【００３８】
通信Ｉ／Ｆ１０７は、有線通信又は無線通信を介して他の装置と通信するためのＩ／Ｆであり、例えばネットワークアダプタである。他の装置とは、図２等で示したＰＣ２１、モバイル端末２２等であり、例えば、図示しない、他のメディアストレージサーバ、メディアストレージサーバ１０に保存された保全情報を管理するための装置、ＤＣＳ（Ｄｉｓｔｒｉｂｕｔｅｄ  Ｃｏｎｔｒｏｌ  Ｓｙｓｔｅｍ：分散型制御システム）制御装置、ＦＡ（Ｆａｃｔｏｒｙ  Ａｕｔｏｍａｔｉｏｎ）コンピュータ、ＰＬＣ（Ｐｒｏｇｒａｍｍａｂｌｅ  Ｌｏｇｉｃ  Ｃｏｎｔｒｏｌｌｅｒ）等であってもよい。
以上で、図４を用いた、メディアストレージサーバ１０のハードウェア構成の説明を終了する。
【００３９】
次に、図５を用いて、端末装置２０のハードウェア構成を説明する。図５は、実施形態における端末装置２０のハードウェア構成の一例を示す構成図である。
【００４０】
図５において、端末装置２０は、ＣＰＵ２０１、ＲＡＭ２０２、ＲＯＭ２０３、ＨＤＤ２０４、表示装置２０５、入力装置２０６、通信Ｉ／Ｆ２０７、測位部２０８、加速度計２０９、カメラ２１０、タグ通信部２１１、マイク２１２、及びスピーカ２１３を有する。なお、ＣＰＵ２０１、ＲＡＭ２０２、ＲＯＭ２０３、ＨＤＤ２０４、表示装置２０５、及び入力装置２０６については、図４におけるメディアストレージサーバ１０のハードウェア構成と同様であるので説明を省略する。
【００４１】
通信Ｉ／Ｆ２０７は、通信Ｉ／Ｆ１０７と同様に、有線通信又は無線通信を介して他の装置と通信するためのＩ／Ｆであり、例えばネットワークアダプタである。また、通信Ｉ／Ｆ２０７は、フィールド機器と通信するためのプロトコルを用いて通信をするものであってもよい。通信Ｉ／Ｆ２０７は、例えば、ＩＳＡ（Ｉｎｔｅｒｎａｔｉｏｎａｌ  Ｓｏｃｉｅｔｙ  ｏｆ  Ａｕｔｏｍａｔｉｏｎ：国際計測制御学会）の無線通信規格であるＩＳＡ１００を用いて通信してもよい。また、通信Ｉ／Ｆ２０７は、ＨＡＲＴ（Ｈｉｇｈｗａｙ  Ａｄｄｒｅｓｓａｂｌｅ  Ｒｅｍｏｔｅ  Ｔｒａｎｓｄｕｃｅｒ）（登録商標）、ＢＲＡＩＮ（登録商標）、ＦＯＵＮＤＡＴＩＯＮ  Ｆｉｅｌｄｂｕｓ、ＰＲＯＦＩＢＵＳ等の工業計器専用の通信プロトコルを用いて通信してもよい。
【００４２】
測位部２０８は、端末装置２０の現在位置を測位する。測位部２０８は、例えば、ＧＰＳ（Ｇｌｏｂａｌ  Ｐｏｓｉｔｉｏｎｉｎｇ  Ｓｙｓｔｅｍ：全地球測位システム）を利用して現在位置を測位する。また、測位部２０８は、無線通信の無線局（アクセスポイント）から送信される信号に基づき現在位置を測位してもよい。屋内のプラント等、ＧＰＳ衛星からの電波の捕捉が困難な場合、測位部２０８は、プラント内に設置されたアクセスポイントの情報から、アクセスポイントの位置を特定することにより、端末装置２０の現在位置を推測することができる。測位部２０８は、例えば、カメラ２１０が向いている方向（方位、仰角等）を測定するものであってもよい。
【００４３】
加速度計２０９は、端末装置２０の姿勢（傾き）を測定する。加速度計２０９が測定した姿勢によって、カメラ２１０の姿勢を特定することができる。加速度計２０９が測定したカメラ２１０の姿勢と、測位部２０８が測定したカメラ２１０の方位とによって、カメラ２１０の方向を測定することができる。カメラ２１０の方向は、後述するカメラ２１０で撮影された保全対象の装置や機器を特定するときに用いられる。
【００４４】
カメラ２１０は、メディアストレージサーバ１０に蓄積する、画像（動画又は静止画）を撮影する。カメラ２１０で撮影された画像の画像データには、測位された端末装置２０の現在位置、測定されたカメラ２１０の方向等のデータを付加することができる。カメラ２１０で撮影された画像データに現在位置等のデータを付加することにより、撮影対象との画像データの対応付けが可能となる。
【００４５】
タグ通信部２１１は、近距離無線用の無線タグとの通信を行う。タグ通信部２１１が通信する無線タグは、ＲＦＩＤ（Ｒａｄｉｏ  Ｆｒｅｑｕｅｎｃｙ  Ｉｄｅｎｔｉｆｉｅｒ）等である。例えば、無線タグを保全対象の機器等に貼付しておくことにより、タグ通信部２１１は、無線タグからＩＤを取得して、無線タグが貼付された機器を特定することができる。
【００４６】
マイク２１２は、カメラ２１０で撮影された動画に含まれる音声を集音する。また、マイク２１２は、端末装置２０が通話機能を有する場合、通話内容を集音してもよい。スピーカ２１３は、例えば、端末装置２０において保全情報を再生するときに、保全情報に含まれる音声を出力する。
以上で、図５を用いた、端末装置２０のハードウェア構成の説明を終了する。
【００４７】
次に、図６を用いて、メディアストレージサーバの機能構成を説明する。図６は、実施形態におけるメディアストレージサーバの機能構成の一例を示す構成図である。なお、以下の説明においては、図４で説明したメディアストレージサーバ１０のハードウェアの構成を適宜参照する。
【００４８】
図６において、メディアストレージサーバ１００は、特定情報保存部１００１、保全記録取得部１００２、保全記録保存部１００３、保全情報生成部１００４、保全情報保存部１００５、特定情報取得部１００６、検索部１００７、保全情報提供部１００８、及び特定処理部１００９の各機能を有する。メディアストレージサーバ１００の上記各機能は、図４で示したメディアストレージサーバ１０のＣＰＵ１０１においてプログラムを実行することによって実現することができる。すなわち、メディアストレージサーバ１００の上記各機能は、ソフトウェアによって実現される機能モジュールである。
【００４９】
特定情報保存部１００１は、保全対象を特定するための特定情報を特定情報をＨＤＤ１０４等に保存する。特定情報保存部１００１において保存される保全対象は、例えば、フィールド機器、設備、プロセス、プラント、又は保全項目等である。特定情報保存部１００１は、保全対象であるフィールド機器等と特定情報を対応付けて保存することにより、特定情報から保全対象を検索することを可能にする。特定情報は、例えば、プラント名、プロセス名、設備名、機器名、機器や設備に付けられた設備ＩＤ、機器タグ、保全項目名等の識別情報である。また、特定情報は、保全記録が作成された（保全作業がされた）日時、作業者名、保全の計画時に定められた保全作業の識別情報等であってもよい。特定情報は、保全情報保存部１００５に保存された保全情報を検索するための検索キーとして用いられる。検索キーとして用いられる特定情報は、１又は複数を組み合わせて用いてもよい。
【００５０】
特定情報保存部１００１は、特定情報と保全対象との対応付けを、例えばＣＳＶ（Ｃｏｍｍａ−Ｓｅｐａｒａｔｅｄ  Ｖａｌｕｅｓ）等のデータ形式で記録されたデータファイルから読み出して保存してもよい。データファイルは、例えば入力装置１０６等から記録媒体を介して読み出してもよい。
【００５１】
保全記録取得部１００２は、特定された保全対象の保全記録を取得する。保全記録は、例えば、図１で説明した作業者が所持するモバイル端末２２ａ等から取得する。保全記録取得部１００２は、例えば、作業者によって特定された保全対象から保全記録を取得する。また、保全記録取得部１００２は、取得された保全記録に保全対象を特定する特定情報が含まれる場合、取得した保全記録によって保全対象を特定するようにしてもよい。保全記録取得部１００２は、特定された保全対象の保全記録を、ＤＣＳ制御装置、ＦＡコンピュータ、ＰＬＣ等から取得してもよい。
【００５２】
保全記録取得部１００２が取得する保全記録は、例えば、モバイル端末２２ａのカメラで撮影された動画又は静止画、モバイル端末２２ａにおける通話を録音した音声データ、モバイル端末２２ａにおいて行われた文字チャットのログ、フィールド機器から取得したプロセスデータ等である。
【００５３】
保全記録保存部１００３は、保全記録取得部１００２において取得された保全記録を特定情報と対応してＨＤＤ１０４等に保存する。保全記録取得部１００２において取得される保全記録には、例えば、動画、静止画、音声データ等の複数種類の記録が含まれる場合がある。また、保全記録には、同じ種類の記録が複数含まれる場合がある。保全記録保存部１００３は、取得された複数の記録をそれぞれ特定情報と対応付けて保存する。
【００５４】
保全情報生成部１００４は、保全記録保存部１００３において特定情報と対応して保存された保全記録に基づき、保全情報を生成する。保全情報生成部１００４において生成された保全情報は保全情報保存部１００５で保存され、検索部１００７から検索され、さらに端末装置２０で表示・再生される。すなわち、保全情報生成部１００４は、端末装置２０で表示・再生可能な形式のコンテンツとして保全情報を生成する。
【００５５】
保全情報生成部１００４は、例えば、保全記録保存部１００３に保存された動画、静止画、又は音声データの保全記録を所定のファイルフォーマットに変換した保全情報を生成する。また、保全情報生成部１００４は、保全記録保存部１００３に保存された保全記録を、保全情報を表示・再生する端末装置２０に合せて編集した保全情報を生成してもよい。例えば、保全情報生成部１００４は、端末装置２０の表示装置２０５の解像度、コーデック等に合せて保全情報を生成する。また、保全情報生成部１００４は、保全記録保存部１００３に保存された複数の保全記録を１つのコンテンツとしてまとめた保全情報を生成してもよい。例えば、動画の保全記録、静止画の保全記録、又はフィールド機器から取得したプロセスデータを併せて表示する保全情報を生成してもよい。保全情報生成部１００４は、例えば、保全情報を表示するＷｅｂ画面を生成するＷｅｂサーバであってもよい。保全情報を表示するＷｅｂ画面は、保全記録保存部１００３で保存された保全記録のデータをリンクさせて表示させるものであってもよい。Ｗｅｂ画面においてリンクされる保全記録は所定の条件によって変更されるものであってもよい。
【００５６】
保全情報保存部１００５は、保全情報生成部１００４で特定情報と対応して生成された保全情報をＨＤＤ１０４等に保存する。
【００５７】
特定情報取得部１００６は、端末装置２０から検索キーとして送信される特定情報を取得して、検索部１００７に出力する。なお、検索部１００７で使用可能な特定情報と端末装置２０において検索キーとして使用される特定情報とは一致させておくことが望ましい。例えば、特定情報取得部１００６は、端末装置２０からのリクエストに応じて特定情報保存部１００１に保存された特定情報のリストを端末装置２０に送信することにより、検索部１００７で使用可能な特定情報と端末装置２０から送信される特定情報を一致させることができる。
【００５８】
検索部１００７は、特定情報取得部１００６が取得した特定情報に基づき、保全情報保存部１００５に保存された保全情報を検索する。検索部１００７は、特定情報を検索キーとして保全情報を検索してもよい。検索部１００７は、検索キーの特定情報に対応付けられて特定される保全情報を検索する。また、検索部１００７は、特定情報を含む検索式で保全情報を検索してもよい。例えば、検索式が設備ＩＤと検査日の特定情報の組み合わせである場合、設備ＩＤで特定される所定のフィールド機器において所定の日付で検査された保全情報を検索する。検索部１００７は、検索された保全情報を保全情報提供部１００８に出力する。
【００５９】
保全情報提供部１００８は、検索部１００７において検索された保全情報を、特定情報取得部１００６において特定情報を取得した端末装置２０に対して提供する。保全情報提供部１００８は、例えば、検索された保全情報を含むＷｅｂページを端末装置２０に対して提供する。また、保全情報提供部１００８は、検索された保全情報を含むファイルデータを端末装置２０に対して送信することによって提供してもよい。
【００６０】
特定処理部１００９は、ＡＲ処理を実行する。ＡＲ処理とは、映像に写された現実世界を拡張する処理であり、例えば、現実の映像に仮想の映像を重畳させる処理である。ＡＲ処理においては、仮想の映像を重畳させるために、現実の映像に写っている物を特定し、特定した現実の物に対して、所定の情報を付加して記憶させたり、仮想の映像を重畳させて表示したりする。
【００６１】
例えば、特定処理部１００９は、撮影された実際の機器等の映像、測位部２０８から取得した映像を撮影したカメラの位置（ＧＰＳデータ）、カメラの方向等の情報に基づき、撮影された機器等を特定する特定情報を取得する。特定処理部１００９は、取得した特定情報に基づき、機器等に関する機器情報、保全情報、生産情報等を取得することができる。特定処理部１００９は、特定された機器等の実際の映像に、取得した機器情報等の仮想の映像を生成して重畳する。重畳する仮想の映像には、保全作業を支援するための映像を含んでいてもよい。保全作業を支援するための映像とは、例えば、作業手順を示す映像、回路図、結線図等の図面、フィールド機器のパラメータ等である。特定処理部１００９によって重畳される仮想の映像は、実際の映像とともに保全記録として保存するようにしてもよい。
【００６２】
ＡＲ処理を行うことにより、例えば作業者はフィールド機器の機器ＩＤ等を入力しなくてもその機器をカメラで撮影するだけで保全情報等の取得、又は記録をすることが可能となる。
【００６３】
なお、図６においては、メディアストレージサーバ１００が有する、特定情報保存部１００１、保全記録取得部１００２、保全記録保存部１００３、保全情報生成部１００４、保全情報保存部１００５、特定情報取得部１００６、検索部１００７、保全情報提供部１００８、及び特定処理部１００９の各機能がソフトウェアによって実現される場合を説明した。しかし、メディアストレージサーバ１００が有する上記１つ以上の機能は、ハードウェアによって実現されるものであっても良い。また、メディアストレージサーバ１００が有する上記各機能は、１つの機能を複数の機能に分割して実施してもよい。また、メディアストレージサーバ１００が有する上記各機能は、２つ以上の機能を１つの機能に集約して実施してもよい。
以上で、図６を用いた、メディアストレージサーバ１００の機能構成の説明を終了する。
【００６４】
次に、図７を用いて、端末装置２００の機能構成を説明する。図７は、実施形態における端末装置２００の機能構成の一例を示す構成図である。なお、以下の説明においては、図５で説明した端末装置２０のハードウェアの構成を適宜参照する。
【００６５】
図７において、端末装置２００は、特定情報管理部２００１、保全記録取得部２００２、保全記録送信部２００３、保全情報生成部２００４、保全情報保存部２００５、特定処理部２００６、特定情報送信部２００７、保全情報取得部２００８、保全情報選択部２００９、保全情報表示部２０１０、及び検索部２０１１の各機能を有する。端末装置２００の上記各機能は、図５で示した端末装置２００のＣＰＵ２０１においてプログラムを実行することによって実現することができる。すなわち、端末装置２００の上記各機能は、ソフトウェアによって実現される機能モジュールである。
【００６６】
図７に示す端末装置２００は、メディアストレージサーバ１００と同様に、保全対象の保全記録を取得して、取得した保全記録を保全対象を特定するための特定情報と対応して保存し、特定情報と対応して保存された保全記録に基づき、保全情報を生成し、生成された保全情報を保存し、特定情報に基づき、保存された前記保全情報を検索し、検索された保全情報を提供し、通信回線を介して他の装置と通信可能に接続する機能を有することにより、保全情報の共有を図ることを可能にしている。端末装置２００が保全情報を共有する機能を有することにより、メディアストレージサーバ１００を使用できない場合であっても保全情報を利用可能となる。端末装置２００の機能の中でメディアストレージサーバ１００と重複する機能については一部説明を省略する。
【００６７】
特定情報管理部２００１は、メディアストレージサーバ１００の特定情報保存部１００１で保存される特定情報を管理する。例えば、特定情報管理部２００１は、新たなフィールド機器がプラントに設置された場合、設置されていたフィールド機器を交換した場合、又はフィールド機器を使用中止する場合等において、新たに保存するフィールド機器の情報、変更されたフィールド機器の情報、又は使用中止するフィールド機器の情報をメディアストレージサーバ１００に送信する。端末装置２００から特定情報を管理することにより、特定情報保存部１００１で保存された特定情報の更新が容易になる。また、特定情報管理部２００１は、プラント名、プロセス名、設備名、保全項目名等の識別情報を管理してもよい。
【００６８】
保全記録取得部２００２は、特定された保全対象の保全記録を取得する。保全記録取得部２００２は、例えば、作業者によって特定された保全対象から、保全情報を取得する。保全記録取得部２００２は保全情報として、例えば、カメラ２１０で撮影された画像、通話データ、マイク２１２で録音した音声データ、文字通信のログ、フィールド機器から取得したプロセスデータ等を取得する。保全記録取得部２００２は、通信Ｉ／Ｆ２０７を介して、ＩＳＡ１００、ＨＡＲＴ、ＢＲＡＩＮ等の規格に対応したフィールド機器からプロセスデータを取得することができる。
保全記録取得部２００２は、取得した保全記録を、ＨＤＤ２０４に保存するとともに、保全記録送信部２００３に出力する。なお、保全記録取得部２００２は、自装置において取得した保全記録を保存することに加えて、他の端末装置からの保全記録を取得するようにしてもよい。
【００６９】
保全記録送信部２００３は、保全記録取得部２００２において取得された保全記録を、メディアストレージサーバ１００に送信する。保全記録送信部２００３は、例えば、保全記録取得部２００２が保全記録を取得したときに保全記録を送信する。また、保全記録送信部２００３は、取得された保全記録を一時的に保存して、作業者の明示的な指示によって保存した保全記録を送信してもよい。
【００７０】
保全情報生成部２００４は、保全記録取得部２００２において取得された保全記録に基づき、保全情報を生成する。保全情報生成部２００４の機能は、保全情報生成部１００４の機能と同様であり、動画、静止画、又は音声データ等の保全記録を所定のファイルフォーマットに変換した保全情報を生成する。保全情報生成部２００４は、表示装置２０５の解像度、コーデック等に合せて保全情報を生成する。
【００７１】
保全情報保存部２００５は、保全情報生成部２００４で特定情報と対応して生成された保全情報をＨＤＤ２０４等に保存する。
【００７２】
特定処理部２００６は、特定処理部１００９と同様にＡＲ処理を実行する。端末装置２００においてＡＲ処理を実行することにより、例えば、通信環境等によってメディアストレージサーバ１００との通信ができない場合においても保全作業を支援するための仮想の映像を表示装置２０５に表示させることが可能となる。特定処理部２００６によって重畳される仮想の映像は、カメラ２１０で撮影された実際の映像とともに保全記録として保存するようにしてもよい。
【００７３】
特定情報送信部２００７は、メディアストレージサーバ１００に対して保全情報を検索するための検索キーとして特定情報を送信する。例えば、端末装置２０を所持する作業者は、これから実施する保全作業についての保全情報を取得するために、保全作業を特定する特定情報を指定する。特定情報の指定は、例えば、表示装置２０５に表示された、機器タグ、機器アドレス、製造者、設備ＩＤ、機器タイプ、テスト項目、取得するパラメータ、作業項目等のチェックボックスをチェック状態にすることにより行われる。特定情報の指定は、コンテンツのタイプ、すなわち、テキスト、音声、又は画像毎に行うようにしてもよい。また、特定情報の指定は、特定処理部２００６において取得された特定情報を指定することにより行ってもよい。特定情報送信部２００７は、作業者が送信ボタンを押下する等、所定の送信操作をしたときに特定情報を送信してもよい。
【００７４】
保全情報取得部２００８は、特定情報送信部２００７から送信された特定情報に基づき検索された保全情報を保全情報提供部１００８から取得する。特定情報送信部２００７及び保全情報取得部２００８は、保全情報提供部１００８が提供するＷｅｂページを表示することにより、特定情報の送信又は検索された保全情報の取得を行うブラウザであってもよい。また、保全情報取得部２００８は、検索された保全情報を含むファイルデータを保全情報提供部１００８から取得するようにしてもよい。保全情報取得部２００８は、取得した保全情報を保全情報を保全情報選択部２００９に出力する。なお、保全情報取得部２００８が取得する保全情報には、図８において後述するＩＭＭの作業計画・履歴テーブルを参照することにより、実施が完了している保全項目の保全情報に加えて、未実施の保全項目の保全情報を含ませることができる。
【００７５】
保全情報選択部２００９は、保全情報取得部２００８において取得された保全情報を選択する。保全情報取得部２００８において取得される保全情報は、特定情報によって検索された複数の保全情報が含まれる場合がある。例えば、特定情報を設備ＩＤとした場合、保全情報取得部２００８は、その設備ＩＤに対応付けられた全ての保全情報を取得する。保全情報選択部２００９は、取得された保全情報の中から、表示・再生する保全情報を選択するためのＵＩを提供する。保全情報選択部２００９が提供するＵＩはブラウザによって提供されるものであってもよい。また、保全情報選択部２００９は、保全情報に含まれる、動画、静止画、文字通信のログ、プロセスデータ等の中から表示・再生するものを選択できるようにするものであってもよい。
【００７６】
保全情報表示部２０１０は、保全情報選択部２００９において選択された保全情報を表示装置２０５に表示・再生するための表示データを生成する。保全情報表示部２０１０は、動画、静止画等を所定の表示形式で表示させる。また、保全情報表示部２０１０は、保全情報に含まれる音声データをスピーカ２１３から出力させるようにしてもよい。
【００７７】
検索部２０１１は、メディアストレージサーバ１００における検索部１００７において実行される保全情報の検索を、端末装置２００側で実行するものである。すなわち、検索部２０１１は、保全情報を特定するための特定情報を取得して、保全情報を検索する。特定情報の取得は、例えば、表示装置２０５に特定情報を入力又は選択可能な表示画面を表示して、作業者が入力又は選択することにより取得するようにしてもよい。また、検索対象の保全情報は、メディアストレージサーバ１００の保全情報保存部１００５に保存されていても、端末装置２００の保全情報保存部２００５に保存されているものであってもよい。検索部２０１１における検索方法は検索部１００７における検索方法に準ずる。
【００７８】
なお、図７においては、端末装置２００が有する、特定情報管理部２００１、保全記録取得部２００２、保全記録送信部２００３、保全情報生成部２００４、保全情報保存部２００５、特定処理部２００６、特定情報送信部２００７、保全情報取得部２００８、保全情報選択部２００９、保全情報表示部２０１０、及び検索部２０１１の各機能がソフトウェアによって実現される場合を説明した。しかし、端末装置２００が有する上記１つ以上の機能は、ハードウェアによって実現されるものであっても良い。また、端末装置２００が有する上記各機能は、１つの機能を複数の機能に分割して実施してもよい。また、端末装置２００が有する上記各機能は、２つ以上の機能を１つの機能に集約して実施してもよい。
以上で、図７を用いた、端末装置２００の機能構成の説明を終了する。
【００７９】
次に、図８を用いて、ＩＭＭの作業計画・履歴テーブルを説明する。図８は、実施形態におけるＩＭＭの作業計画・履歴テーブルの一例を示す図である。ＩＭＭ（Ｉｎｄｕｓｔｒｉａｌ  Ｍｕｌｔｉ  Ｍｅｄｉａ）とは、工業向けのマルチメディアコンテンツをいう。ＩＭＭは、例えば、画像（動画又は静止画）、テキスト、音声等のコンテンツであり、作業者がプラントの操業又は保全（保守）を行うときの作業支援に用いることができる。本実施形態においてＩＭＭは、保全情報生成部１００４が生成する保全情報の一例である。
【００８０】
図８において、ＩＭＭの作業計画・履歴テーブルは、設備ＩＤ、作業ＩＤ、保全項目、進捗、予定日、実施日時、及びＩＭＭ  ＩＤの７つの項目を有している。
【００８１】
図８の作業計画・履歴テーブルは、作業者が保全作業を実施する前に、設備ＩＤ、作業ＩＤ、保全項目、及び予定日の項目が入力されて、作業計画リストとして参照される。設備ＩＤは、機器ＩＤを含む設備のＩＤである。設備ＩＤに「Ｆ」が付く設備は流量計測器である。設備ＩＤに「Ｐ」が付く設備は圧力計測器である。また、設備ＩＤに「Ｔ」が付く設備は温度計測器である。作業ＩＤは、作業のＩＤであり、作業者が実施すべき保全項目毎に１つの作業ＩＤが付けられている。例えば、設備ＩＤが「Ｆ４０２０」の設備においては、作業ＩＤ「１」〜「３」が付けられて、「流量点検」、「振動点検」、及び「漏れ点検」の３つの保全項目が実施される。予定日は、それぞれの保全項目の実施予定日である。
【００８２】
作業計画・履歴テーブルは、作業者が作業計画リストの保全項目を実施すると更新されて、実施された進捗の項目に「完了」が入力され、実施日時の項目に実施完了の日時が入力され、さらにＩＭＭ  ＩＤの項目にＩＭＭのＩＤが入力される。ここで、ＩＭＭ  ＩＤとは、それぞれの保全項目の保全記録をまとめた保全情報のＩＤである。例えば、図８は、作業ＩＤが「１」〜「３」の保全項目における保全記録は、「０ｘ０００１」のＩＭＭ  ＩＤが付された保全情報として保存されることを示している。図８においては、作業ＩＤが「１」〜「５」の作業項目の実施が完了し、作業ＩＤが「６」の作業項目が未実施であることを示している。作業計画・履歴テーブルは、端末装置２００から参照できるようにしてもよい。
以上で、図８を用いた、ＩＭＭの作業計画・履歴テーブルの説明を終了する。
【００８３】
次に、図９を用いて、ＩＭＭのコンテンツテーブルを説明する。図９は、実施形態におけるＩＭＭのコンテンツテーブルの一例を示す図である。図９のコンテンツテーブルは、図８のＩＭＭの作業計画・履歴テーブルにおいて進捗の項目が「完了」となっている保全情報の記録内容を示している。
【００８４】
図９において、ＩＭＭのコンテンツテーブルは、ＩＭＭ  ＩＤ、スクリプト、ファイル更新日時、動画再生位置、ファイルパスの項目を有している。ＩＭＭ  ＩＤの項目は、図８と同様であり、図９においては、「０ｘ００１」と「０ｘ００２」の２つのＩＭＭ  ＩＤにおいて保全情報が記録されている場合を示している。「０ｘ００１」のＩＭＭ  ＩＤにおいては、４つの保全記録が記録されている。スクリプトの項目は、それぞれの保全記録の内容を文字化したものである。スクリプトはＩＭＭのコンテンツファイルを検索するときに参照することができる。スクリプトには、例えば、音声を認識して文字化したものを入力してもよい。また、スクリプトには、手入力された文字、設備ＩＤとコンテンツの内容から自動的に生成された文字列等を入力するようにしてもよい。ファイル更新日時の項目は、ＩＭＭのコンテンツファイルが更新された日時が入力される。なお、図８の実施日時の項目が保全項目を実施した日時であるのに対して、ファイル更新日時の項目は保全記録を基に生成された保全情報（ＩＭＭコンテンツファイル）が生成された日時である。動画再生位置の項目は、保全記録の動画の中でスクリプトに相当する部分が再生される位置（時間）である。ファイルパスは、コンテンツファイルの保存場所を示している。
【００８５】
なお、図９のＩＭＭのコンテンツテーブルは、動画と静止画のコンテンツファイルが記録されている場合を示しているが、コンテンツテーブルには、テキスト、音声等のコンテンツファイルを記録するようにしてもよい。また、コンテンツテーブルには、所定の動作を実行するためのプログラムを記録しておいてもよい。例えば、保全に関する条件を対話式に入力して保全情報を提供するプログラムを提供するものであってもよい。
以上で、図９を用いた、ＩＭＭのコンテンツテーブルの説明を終了する。
【００８６】
次に、図１０を用いて、端末装置２００による保全情報の記録動作を説明する。図１０は、実施形態における端末装置による保全情報の記録動作の一例を示すフローチャートである。なお、図１０及び後述する図１１に示すフローチャートの動作は、ＣＰＵ２０１において実行されるものとする。
【００８７】
図１０において、ＣＰＵ２０１は、設備ＩＤを入力する方法を選択するためのＵＩを表示装置２０５の表示画面に表示する（ステップＳ１０１）。本実施形態においては設備ＩＤはＡＲ処理を用いて入力するか、手動で入力するかのいずれかである場合を説明する。
【００８８】
ステップＳ１０１の処理を実行した後、ＣＰＵ２０１は、選択された設備ＩＤの入力方法がＡＲ処理を用いるものであったか否かを判断する（ステップＳ１０２）。選択された設備ＩＤの入力方法がＡＲ処理を用いるものでないと判断した場合（ステップＳ１０２：ＮＯ）、ＣＰＵ２０１は、設備ＩＤを手動で入力するためのＵＩを表示装置２０５に表示する（ステップＳ１０３）。設備ＩＤは、例えば、図８で説明した作業計画・履歴テーブルに基づき表示装置２０５に表示される作業一覧から保全項目を選択することにより入力することができる。
【００８９】
一方、選択された設備ＩＤの入力方法がＡＲ処理を用いるものであると判断した場合（ステップＳ１０２：ＹＥＳ）、ＣＰＵ２０１は、ＡＲ情報を取得する（ステップＳ１０４）。ＡＲ情報とは、例えば、カメラ２１０で撮影された設備の映像、測位部２０８から取得した撮影位置のＧＰＳデータ、カメラ２１０の方向等の情報である。
【００９０】
ステップＳ１０４の処理を実行した後、ＣＰＵ２０１は、取得したＡＲ情報をメディアストレージサーバ１００に送信して、メディアストレージサーバ１００から設備情報を取得する（ステップＳ１０５）。なお、メディアストレージサーバ１００においては、ＡＲ情報に基づく特定情報から設備情報を取得して、設備情報を端末装置２００に送信する。
【００９１】
ステップＳ１０５の処理を実行した後、ＣＰＵ２０１は、取得した設備情報に基づき、設備ＩＤを確認のため選択可能に表示する（Ｓ１０６）。設備ＩＤを選択可能に表示して、作業者が設備ＩＤを確認できるようにすることにより、ＡＲ処理の結果取得された設備情報が間違っていた場合又は複数の設備情報が検索された場合、ＡＲ処理を用いない設備ＩＤの手入力への変更又は正しい設備ＩＤの選択等が可能になる。作業者は、作業一覧に表示された設備ＩＤとＡＲ処理によって取得された設備ＩＤを照合することが可能となる。
【００９２】
ステップＳ１０３の処理又はステップＳ１０６の処理を実行した後、ＣＰＵ２０１は、記録手段を選択可能に表示する（ステップＳ１０７）。記録手段とは、例えば、ＩＭＭファイルに記録するコンテンツの形式であり、動画撮影、静止画撮影、音声録音、音声認識（テキスト）記録、チャットログの記録、テキスト（付箋表示等）の記録等の中から１又は複数の形式を選択する。ＩＭＭファイルには、例えば、記録手段が動画撮影の場合、ＩＭＭカメラ２１０とマイク２１２を用いた動画が記録される。また、記録手段が音声認識（テキスト）記録の場合、マイク２１２を用いて録音した音声を音声認識してテキストに変換したテキストデータが記録される。変換されたテキストデータは、音声認識された音声とともに記録するようにしてもよい。記録手段の選択には、ＩＭＭファイルへのＩＭＭ  ＩＤの自動付与又は手動付与の選択、ファイルパスの指定、作業者名又は作業指導者名の入力又は選択、記録（エンコード、符号化）方式の指定、ＧＰＳデータの付加有無の設定等を含んでいてもよい。
【００９３】
ステップＳ１０７の処理を実行した後、ＣＰＵ２０１は、ステップＳ１０７で選択された記録手段における保全記録の記録を開始する（ステップＳ１０８）。記録の開始は、例えば、記録手段が静止画撮影の場合、カメラ２１０を用いた静止画撮影が可能な状態（シャッターが押下できる状態）とする。また、記録手段がチャットログの記録の場合、記録の開始以後のチャットログが記録される。
【００９４】
ステップＳ１０８の処理を実行した後、ＣＰＵ２０１は、保全記録を終了するか否かを判断する（ステップＳ１０９）。保全記録を終了するか否かの判断は、例えば、作業者によって明示的な終了操作が行われたか否かによって判断することができる。保全記録を終了しないと判断した場合（ステップＳ１０９：ＮＯ）、ＣＰＵ２０１は、ステップＳ１０９の処理を繰り返して、保全記録の終了を待機する。一方、保全記録を終了すると判断した場合（ステップＳ１０９：ＹＥＳ）、ＣＰＵ２０１は、保全記録の記録を終了し、記録した保全記録をメディアストレージサーバ１００に送信する（ステップＳ１１０）。
【００９５】
保全記録の送信は、記録の終了とともに自動的に実行されてもよく、又は記録終了後に作業者による送信操作を伴うものであってもよい。保全記録の送信は、図９で説明したファイルパスに対して行われる。ファイルパス等の送信先の指定は、ステップＳ１０７の記録手段の選択の処理において行ってもよく、又はステップＳ１１０の記録終了後の送信処理において行ってもよい。図８で説明した作業計画が予め作成されている場合、送信先の設定は作業計画に基づき予め設定しておくことができる。保全記録の送信は、保全記録の記録を終了した後に、端末装置２００がメディアストレージサーバ１００との通信を確立し、通信が確立された後に行われる。しかし、端末装置２００がメディアストレージサーバ１００との通信を保全記録を記録中においても維持している場合、記録中の保全記録を、例えばストリーミングによって送信するようにしてもよい。
【００９６】
なお、図１０においては、設備ＩＤを、ＡＲ処理を用いて入力するか、手動で入力するかのいずれかである場合を説明したが、設備ＩＤの入力方法はこれに限定されるものではない。例えば、登録されている設備ＩＤの中からプルダウンメニュー、ラジオボタン、チェックボックス等によって設備ＩＤを選択して入力するようにしてもよい。また、フリーキーワード検索によって検索して検索結果の中から選択するようにしてもよい。
以上で、図１０を用いた、端末装置２００による保全情報の記録動作の説明を終了する。
【００９７】
次に、図１１を用いて、端末装置２００による保全情報の利用動作を説明する。図１１は、実施形態における端末装置２００による保全情報の利用動作の一例を示すフローチャートである。
【００９８】
図１１において、ステップＳ２０１〜ステップＳ２０６の処理は、図１０におけるステップＳ１０１〜ステップＳ１０６の処理と同様であるので説明を省略する。すなわち、端末装置２００による保全情報の利用動作においても、記録動作と同様に設備ＩＤが入力される。
【００９９】
ステップＳ２０３の処理又はステップＳ２０６の処理を実行した後、ＣＰＵ２０１は、入力された設備ＩＤに基づき、メディアストレージサーバ１００に保存された保全情報を取得する（ステップＳ２０７）。図８において説明したように、設備ＩＤにはＩＭＭ  ＩＤが対応付けられて記録されている。メディアストレージサーバ１００は、設備ＩＤを取得することにより、設備ＩＤに対応した保全情報を保全情報保存部１００５から検索して端末装置２００に提供することが可能となる。なお、保全情報は、端末装置２００の保全情報保存部２００５から取得するようにしてもよい。
【０１００】
ステップＳ２０７の処理を実行した後、ＣＰＵ２０１は、取得した保全情報を表示して、再生する保全情報を選択可能にする（ステップＳ２０８）。保全情報の表示は、例えば、帆保全項目、保全作業の実施日時等を保全情報を選択するときに参照できる付加的な情報を表示させるものであってもよい。
【０１０１】
ステップＳ２０８の処理を実行した後、ＣＰＵ２０１は、選択された保全情報を表示・再生する（ステップＳ２０９）。作業者は表示・再生された保全情報を確認することにより、保全作業の支援を受けることが可能となる。
【０１０２】
ステップＳ２０９の処理を実行した後、ＣＰＵ２０１は、保全結果を送信する。保全情報を確認しながら保全作業を実行した作業者は、保全結果をメディアストレージサーバ１００に送信して、図８で説明した進捗を「完了」にする。図１０で説明した保全情報の記録と図１１で説明した保全情報の利用は、同時に行うようにしてもよい。
以上で、図１１を用いた、端末装置２００による保全情報の利用動作の説明を終了する。
【０１０３】
次に、図１２を用いて、ＩＭＭの構成を説明する。図１２は、実施形態におけるＩＭＭの構成の一例を示す構成図である。
【０１０４】
図１２において、ＩＭＭ１０４は、コンテンツＣ０１、コンテンツＣ０２、コンテンツＣ０３、及びコンテンツＣ０４を含んでいる。コンテンツＣ０１〜コンテンツＣ０４は、それぞれが保全情報生成部１００４によって生成された保全情報である。すなわち、コンテンツＣ０１〜コンテンツＣ０４は、特定情報によって検索される検索対象であるものとする。
【０１０５】
コンテンツＣ０１は、動画ｍ１、静止画ｓ１、テキストｔ１、及びプロセス値（プロセスデータ）ｐ１を含むことを示している。テキストｔ１は、音声をテキスト変換したテキストデータ、作業日誌又は修理記録等のテキストデータ、又はチャットログのテキストデータ等である。コンテンツＣ０１〜コンテンツＣ０１にはそれぞれＩＭＭ１０４が生成された日付が付されている。コンテンツＣ０１に含まれる、動画ｍ１、静止画ｓ１、テキストｔ１、及びプロセス値ｐ１は、お互い関連が付けられている情報である。例えば、動画ｍ１、静止画ｓ１、テキストｔ１、及びプロセス値ｐ１は、再生・表示される順番、再生・表示されるタイミング（時間）、表示・再生される表示装置２０５上の位置等において関連付けられていてもよい。例えば、保全情報表示部２０１０は、コンテンツＣ０１に含まれる、動画ｍ１、静止画ｓ１、テキストｔ１、又はプロセス値ｐ１の中の、１又は複数の情報を再生・表示することができる。ＩＭＭ１０４は、動画、静止画等の単一の情報では表現できない情報を提供することができるので、プラントの操業又は保全を支援するためのコンテンツとして適している。ＩＭＭ１０４は、例えば、高度技能者が行った保全作業を撮影した動画を表示するとともに、そのときのプロセス値を表示することにより、より詳細な保全技術の共有を図ることが可能となる。
【０１０６】
なお、図１２は、動画ｍ１、静止画ｓ１、テキストｔ１、及びプロセス値ｐ１のそれぞれの情報が１つのコンテンツＣ０１にまとめられている場合を示す。しかし、動画ｍ１、静止画ｓ１、テキストｔ１、及びプロセス値ｐ１のそれぞれの情報はコンテンツＣ０１としてまとめられたものでなくてもよい。例えば、コンテンツＣ０１は、検索部１００７の検索結果として、関連付けられて保全情報として提供されるものであってもよい。例えば、コンテンツＣ０１に含まれる情報は、検索の度に異なる情報を含むものであってもよい。
【０１０７】
また、コンテンツＣ０１〜コンテンツＣ０４はそれぞれ独立した保全情報であっても関連した保全情報であってもよい。例えば、コンテンツＣ０１とコンテンツＣ０２が関連した保全情報である場合、コンテンツＣ０１の表示・再生が終了した後に、自動的にコンテンツＣ０２を表示・再生してもよい。
以上で、図１２を用いた、ＩＭＭの構成の説明を終了する。
【０１０８】
次に、図１３を用いて、端末装置２０の表示装置２０５に表示される保全情報の一覧画面を説明する。図１３は、実施形態における表示装置２０５に表示される保全情報の一覧画面の一例を示す図である。
【０１０９】
図１３において、表示装置２０５には、保全情報の一覧画面Ｒ０１が表示される。一覧画面Ｒ０１は、例えば図１０で説明したステップＳ１０３の処理において、設備ＩＤを選択して保全記録を記録する際に表示される。作業者名ｒ０１１は、作業者名を入力するテキストボックスである。入力された作業者名は、付帯情報として保全記録とともに記録してもよい。作業一覧ｒ０１２は、図８で説明したＩＭＭの作業計画・履歴テーブルに基づき表示される。図１３は、設備ＩＤの項目が「Ｆ４０２０」かつ作業名の項目が「流量点検」の保全項目が、進捗の項目で「完了」となっており、実施日時に項目が「２０１６／２／１の１３：００」であることを示している。また、他の作業項目については保全作業が実施されていいないことを示している。作業者は作業一覧ｒ０１２を視認することにより、実施が完了している保全項目（作業名）と完了していない保全項目を把握することが可能となる。
【０１１０】
記録ｒ０１３は、図１４で後述する保全情報の記録画面を表示するための実行指示（ボタン）である。作業者は、表示装置２０５に表示された記録ｒ０１３をマウス等によって操作することにより、表示画面を記録画面へ遷移させることができる。例えば、作業者は、「Ｆ４０２０」の「振動点検」についての保全記録を記録する場合、作業一覧ｒ０１２の「振動点検」を含む行を選択した状態で記録ｒ０１３を操作する。作業一覧ｒ０１２と記録ｒ０１３とを表示することによって、作業者は、作業一覧ｒ０１２によって完了していない保全項目を視認して記録する保全項目を選択して記録ｒ０１３を操作することができる。
【０１１１】
検索ｒ０１４は、図１５で後述する保全情報の検索画面を表示するための実行指示である。作業者は、表示装置２０５に表示された検索ｒ０１４をマウス等によって操作することにより、表示画面を検索画面へ遷移させることができる。
以上で、図１３を用いた、表示装置２０５に表示される保全情報の一覧画面の説明を終了する。
【０１１２】
次に、図１４を用いて、作業者が記録ｒ０１３を操作することによって表示装置２０５に表示される保全情報の記録画面を説明する。図１４は、実施形態における端末装置に表示される保全情報の記録画面の一例を示す図である。
【０１１３】
図１４において、表示装置２０５には、保全情報の記録画面Ｒ０２が表示される。記録画面Ｒ０２は、設備情報ＯＮ／ＯＦＦボタンｒ０２１、生産情報ＯＮ／ＯＦＦボタンｒ０２２、Ｒｅｃボタンｒ０２３、Ｐｈｏｔｏボタンｒ０２４、Ｕｐｌｏａｄボタンｒ０２５、機器アイコンｒ０２６、設備情報ｒ０２７、及びチャットログｒ０２８を有している。
【０１１４】
記録画面Ｒ０２は、図１３において作業者が作業一覧ｒ０１２の中から選択した保全項目の保全作業を記録するための画面である。
【０１１５】
設備情報ＯＮ／ＯＦＦボタンｒ０２１は、設備情報の表示のＯＮ／ＯＦＦを切り換えるボタンである。図１４において、機器アイコンｒ０２６及び設備情報ｒ０２７は、設備情報ＯＮ／ＯＦＦボタンｒ０２１がＯＮのときに表示される設備情報の表示例を示している。設備情報には、設備の稼働状態や設備の保全マニュアル等が含まれていてもよい。設備情報を表示することにより、保全作業を支援することができる。
【０１１６】
生産情報ＯＮ／ＯＦＦボタンｒ０２２は、生産情報の表示にＯＮ／ＯＦＦを切り換えるボタンである。図１４においては、生産情報ＯＮ／ＯＦＦボタンｒ０２２がＯＦＦのときに、生産情報が非表示である表示例を示している。生産情報は、例えば、ＤＣＳ等から取得する製品の生産計画、生産結果、生産速度、歩留等の情報である。生産情報を表示することにより、保全作業を支援することができる。
【０１１７】
Ｒｅｃボタンｒ０２３は動画の記録を開始するボタンである。Ｒｅｃボタンｒ０２３は、動画の記録を開始した後には、動画の記録を終了するボタンに変更されてもよい。Ｐｈｏｔｏボタンｒ０２４は静止画を記録するボタンである。また、Ｕｐｌｏａｄボタンｒ０２５は、記録された保全記録をメディアストレージサーバ１００に送信するボタンである。
【０１１８】
機器アイコンｒ０２６は、保全対象の設備の外観を表したアイコンである。作業者は機器アイコンｒ０２６と実際の設備とを比較することにより、保全対象を確認することができる。設備情報ｒ０２７は、保全対象の設備の詳細情報を表示する。設備情報ｒ０２７は、例えば、ＴａｇＩＤ、Ｔｙｐｅ、機器名等の情報を表示する。また、設備による計測結果をグラフ等で表示する。設備情報ｒ０２７に表示される計測結果は、保全記録として記録するようにしてもよい。例えば、設備情報ｒ０２７のグラフ部分を選択して、Ｒｅｃボタンｒ０２３を押下して計測結果を記録する。
【０１１９】
チャットログｒ０２８は、保全作業実施中のチャットログである。チャット記録ｒ０２８の下部にあるテキストボックスにテキストを入力することによりチャットの送信をする。チャットログｒ０２８についてもＲｅｃボタンｒ０２３を押下して保全記録として記録することができる。
【０１２０】
なお、記録画面Ｒ０２は、選択された保全項目の保全作業を記録するための画面であるが、保全項目毎に異なる表示態様としてもよい。例えば、ＩＭＭファイルとして記録すべきコンテンツの記録を開始するボタンのみを表示するものであってもよい。例えば、コンテンツとして動画のみを記録する場合、Ｒｅｃボタンｒ０２３を表示して、Ｐｈｏｔｏボタンｒ０２４を非表示にしてもよい。また、同じ設備ＩＤにおいて２つの保全項目を記録する場合、１つ目の保全項目についての記録をした後、記録図１３の作業一覧ｒ０１２の表示に戻らずに、直接２つ目の保全項目についての記録を出来るようにしてもよい。
以上で、図１４を用いた、保全情報の記録画面の説明を終了する。
【０１２１】
次に、図１５を用いて、作業者が図１３の検索ｒ０１４を操作することによって端末装置２０の表示装置２０５に表示される保全情報の検索画面を説明する。図１５は、実施形態における端末装置に表示される保全情報の検索画面の一例を示す図である。
【０１２２】
図１５において、表示装置２０５には、保全情報の検索画面Ｒ０３が表示される。検索画面Ｒ０３は、機器アイコンｒ０３１、設備情報ｒ０３２、チャットログｒ０３３、動画記録ｒ０３４を有する。図１５における検索画面Ｒ０３は、設備ＩＤ「Ｆ４０２０」で検索した保全記録の検索結果が表示されているものとする。保全記録の検索は、例えば図示しない検索画面から実行することができる。保全記録の検索は、例えば、ＡＲ処理等において特定された設備ＩＤ、設備のＴｙｐｅ、機器名、記録日時、保全作業名、フリーキーワード等によって行うことができる。
【０１２３】
検索画面Ｒ０３において、機器アイコンｒ０３１、設備情報ｒ０３２、チャットログｒ０３３については、それぞれ図１４で説明した、機器アイコンｒ０２６、設備情報ｒ０２７、チャットログｒ０２８と同様である。機器アイコンｒ０３１、設備情報ｒ０３２、チャットログｒ０３３は、それぞれを作業者がマウス等で選択することにより、記録されたコンテンツの詳細を表示するようにしてもよい。例えば、設備情報ｒ０３２を選択することにより、計測データの詳細を表示するようにしてもよい。また、チャットログｒ０３３を選択することにより、記録された全チャットを表示できるようにしてもよい。
【０１２４】
動画記録ｒ０３４は、記録された動画ファイルの一覧を表示する。図１５は２つの動画ファイルが、設備ＩＤ、記録日時及びタイトルの付帯情報とともに表示されていることを示している。動画記録ｒ０３４の上部には付帯情報検索用のテキストボックスを有している。作業者がマウス等でファイルを選択すると、記録された動画コンテンツが表示される。
【０１２５】
検索画面Ｒ０３においては記録された保全情報を選択可能に表示することにより、保全作業を支援することが可能となる。
以上で、図１５を用いた、表示装置２０５に表示される保全情報の検索画面の説明を終了する。
【０１２６】
次に、図１６を用いて、ＩＭＭの表示・再生について説明する。図１６は、実施形態におけるＩＭＭの表示・再生の一例を示す図である。
【０１２７】
図１６において、コンテンツＣ０１は時間の経過とともに再生・表示される情報を示している。ｖ１１は、時間の経過とともに表示されるビデオ画像を示している。ビデオ画像は、例えば表示装置２０５の全面又は１部に表示される。なお、「２０１５．６．１０」は、コンテンツＣ０１が生成された日付であり、「１３：００」、「１３：０５」等は、それぞれの情報が生成された時間である。
【０１２８】
１３：００〜１３：０５において、動画ｍ１１が再生される。動画ｍ１１の再生中に、テキストｔ１１の表示が開始される。テキストｔ１１は、音声をテキスト変換したテキストデータである。動画ｍ１１を再生するとともに、テキストｔ１１を表示することにより、内容の理解を容易にすることができる。
【０１２９】
１３：０５に動画ｍ１１の再生が終了した後、動画ｍ１２の再生が開始される１３：１２までの間に、静止画ｓ１１が表示される。作業者は動画ｍ１１の再生が終了してから保全作業を行うことができる。静止画ｓ１１は、例えば、作業者が行うべき事項を表した作業指示書等であってもよい。
【０１３０】
１３：１２に動画ｍ１２の再生が自動的に開始される。１３：１２は、例えば、動画ｍ１１に対応した作業が完了すると予想するタイミングである。しかし、動画ｍ１２が再生されるタイミングは、作業者による明示的な操作によって決定するようにしてもよい。
【０１３１】
動画ｍ１２の再生中にテキストｔ１１の表示が終了して、テキストｔ１２の表示が開始される。テキストｔ１２は、チャットログのテキストデータである。チャットログを動画ｍ１２とともに表示することにより、内容の理解を容易にすることができる。
【０１３２】
動画ｍ１２の再生は１３：２１前に終了し、プロセスデータｐ１１の表示が開始される。プロセスデータは、プロセス値の時間的な推移を表すグラフ、プロセス値の現在値を示す数値等であってもよい。例えば、作業者は、動画ｍ１２の再生が終了してから、プロセスデータｐ１１及びテキストｔ１２を確認しながら保全作業を行うことができる。
【０１３３】
なお、図１６においては、ＩＭＭ１０４において表示・再生されるコンテンツＣ０１は、時間の経過とともに表示・再生する情報を切り換える場合を示したが、ＩＭＭ１０４の表示・再生の方法はこれに限定されるものではない。例えば、動画、静止画等の情報を表示装置２０５を所定の領域に分割した表示領域にそれぞれ表示・再生するものであってもよい。また、作業の進捗に合わせて、作業者が再生・表示の内容を手動で変更するものであってもよい。
以上で、図１６を用いた、ＩＭＭの表示・再生についての説明を終了する。
【０１３４】
以上説明したように、保全情報共有装置、、保全情報共有方法、保全情報共有プログラム及び記録媒体は、保全対象の保全記録を取得し、取得された保全記録を保全対象を特定するための特定情報と対応して保存し、特定情報と対応して保存された保全記録に基づき、保全情報を生成し、生成された保全情報を保存し、特定情報に基づき、保存された保全情報を検索し、検索された保全情報を提供することにより、保全情報の共有を図ることができる。
【０１３５】
なお、本実施形態で説明した装置を構成する機能を実現するためのプログラムを、コンピュータ読み取り可能な記録媒体に記録して、当該記録媒体に記録されたプログラムをコンピュータシステムに読込ませ、実行することにより、本実施形態の上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【０１３６】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現するもの、いわゆる差分ファイル（差分プログラム）であっても良い。
【０１３７】
以上、本発明の実施形態について、図面を参照して説明してきたが、具体的な構成はこの実施形態に限定されるものではなく、本発明の趣旨を逸脱しない範囲においての種々の変更も含まれる。
【符号の説明】
【０１３８】
１０、１００        メディアストレージサーバ
１０１、２０１      ＣＰＵ
１０２、２０２      ＲＡＭ
１０３、２０３      ＲＯＭ
１０４、２０４      ＨＤＤ
１０５、２０５      表示装置
１０６、２０６      入力装置
１０７、２０７      通信Ｉ／Ｆ
２０、２００        端末装置
２０８              測位部
２０９              加速度計
２１０              カメラ
２１１              タグ通信部
２１２              マイク
２１３              スピーカ
１００１            特定情報保存部
１００２、２００２  保全記録取得部
１００３            保全記録保存部
１００４、２００４  保全情報生成部
１００５、２００５  保全情報保存部
１００６            特定情報取得部
１００７            検索部
１００８            保全情報提供部
１００９、２００６  特定処理部
２００１            特定情報管理部
２００３            保全記録送信部
２００７            特定情報送信部
２００８            保全情報取得部
２００９            保全情報選択部
２０１０            保全情報表示部
【図１】
0006493264.tif 000002
【図２】
0006493264.tif 000003
【図３】
0006493264.tif 000004
【図４】
0006493264.tif 000005
【図５】
0006493264.tif 000006
【図６】
0006493264.tif 000007
【図７】
0006493264.tif 000008
【図８】
0006493264.tif 000009
【図９】
0006493264.tif 000010
【図１０】
0006493264.tif 000011
【図１１】
0006493264.tif 000012
【図１２】
0006493264.tif 000013
【図１３】
0006493264.tif 000014
【図１４】
0006493264.tif 000015
【図１５】
0006493264.tif 000016
【図１６】
0006493264.tif 000017